(57)【特許請求の範囲】
【請求項１】
第一ブロック体と第二ブロック体からなる組み立て枠の連接部材であって、
第一ブロック体は、その一側に、複数の板形リブが伸びて突出し、それぞれ、縦方向と横方向に、複数の組み合わせるための長溝が形成され、他側において、表面に、上記一側に設けてある長溝の形状に合わせて、適当な厚さの連結部が形成され、
第二ブロック体は、その一側の表面に、第一ブロック体に合わせて、第一ブロック体の連結部が当接して組み合わせるための、突出した適当な厚さを有する組立て部が形成され、
組み合わせた第一ブロック体と第二ブロック体との間に、複数の組立て槽が形成され、
第一ブロック体において、連結部の近くに、第一嵌合槽が凹むように形成され、第二ブロック体において、連結部の近くに、第二嵌合槽が凹むように設けられ、第一ブロック体と第二ブロック体との間に形成されてある組立て槽に戸板が設置される
ことを特徴とする組み立て枠の連接部材構造。
【請求項２】
第一ブロック体の連結部を有する側辺に、複数の挟持突出部が設けられ、また、板形リブの内側において、組み合わせるための長溝が形成された側壁に、複数の嵌設リブが突出し、第二ブロック体の組立て部を有する側辺に、複数の挟持突出部が設けられることを特徴とする請求項１に記載の組み立て枠の連結部構造。
【請求項３】
連結部には、連結ブロックと連結孔が設けられ、組立て部には、それに合わせて、組立
てブロックと組立て孔が設けられることを特徴とする請求項１に記載の組み立て枠の連接部材構造。
【請求項４】
連結部と組立て部とは、磁気吸引によって組み合わせられて固定されることを特徴とす
る請求項１に記載の組み立て枠の連接部材構造。
【請求項５】
第一ブロック体において、第一嵌合槽の近くに、制限円弧突出部が突出することを特徴
とする請求項1に記載の組み立て枠の連接部材構造。
【請求項６】
戸板の四隅の縁に、退避端部が形成され、同じ一側辺に、連接棒が延び、嵌合ヘッド端部が形成され、連接部材の第一ブロック体と第二ブロック体とが、板体に合わせて組み立て枠が形成された場合において、組み立て枠の一側に形成された開口に、戸板が組み立てられ、戸板の同一側に伸びる連接棒を、組立て槽内に貫設して、嵌合ヘッド端部を第一嵌設槽と第二嵌設槽の間に係止して固定することを特徴とする請求項1に記載の組み立て枠の連接部材構造。
【請求項７】
組み立て枠の開口の他側に形成された組立て槽に、更に、位置付け部材が設けられることを特徴とする請求項６に記載の組み立て枠の連接部材構造。
【請求項８】
連接部材の第一ブロック体の板形リブが形成された側辺には、複数の係止槽が形成され、連接部材が、第一ブロック体と第二ブロック体で、板体に合わせて、組み立て枠が形成される場合において、内部に、傾斜板が組立てられ、上記傾斜板が、四隅から、それぞれ、組み合わせるための棒が延び、組み立て枠内に組み立てられた場合、組み合わせるための棒が、第一ブロック体の係止槽に貫設して定位されることを特徴とする請求項１に記載の組み立て枠の連接部材構造。
【請求項９】
第二ブロック体は、本体とカバーからなり、本体の周縁に、複数の嵌合槽がリング状に設けられ、カバーの開口の周縁に、対応する嵌合槽に係止される複数のフックが、リング状に設けられることを特徴とする請求項１に記載の組み立て枠の連接部材構造。
【発明の詳細な説明】
【技術分野】
【０００１】
本発明は、連接部材構造に関するものであり、さらに詳しくは、組み立て枠の連接部材構造であって、連接部材が、組み合わせ式によって構成され、上記連接部材と板体との組み合わせを多様化した連接部材構造に関するものである。
【背景技術】
【０００２】
従来の組み立て枠の連接部材構造は、図１７に示すように、一体成形の連結ブロック体４０を有するものである。上記連結ブロック体４０は、一側に、複数のＬ状リブが伸びて突出し、それぞれ、縦方向と横方向の組立て槽４１が形成され、連接ブロック体４０の裏側端部に、複数の溝により、連結槽４２が形成されたものである。その組立て槽４１と連結槽４２が、板体を組立てて連結することに供され、これにより、複数の連結ブロック体４０で、複数の板体に合わせて、組み立て枠が構成される。
【０００３】
上記の、従来の構造は、従来の連結ブロック体４０が、一体成形であるため、上記連結槽４２と板体とが組立てられて利用する形態が限られ、組立てることにより他の利用形態や利用可能性が得られなくなり、また、使用多様化が得られないため、上記構造の実用性が悪いという問題があった。
【発明の概要】
【発明が解決しようとする課題】
【０００４】
従って、本発明の課題は、組み立て枠が、多種類の異なる機能を発揮できる枠に組立てられることができ、より良い多様化と実用性が得られ、ユーザーの購入意欲を向上させ得る連接部材構造を提供することにある。
【課題を解決するための手段】
【０００５】
そこで、本発明者は、上記の本発明の課題を解決するために鋭意検討を重ねた結果、組み立て枠の連結部材を第一ブロック体と第二ブロック体から構成するものとし、一側に板体を組み立てるための長い溝を設けることにより、板体を組み立てるための長い溝を設けることにより、板体を組み合わせるための組立て槽を形成させ、上記第二ブロック体を多様化させることにより上記課題を解決できることに着目し、かかる知見に基づいて本発明に想到するに至った。
【０００６】
すなわち、本発明に係る組み立て枠の連接部材構造は、第一ブロック体と第二ブロック体からなる組み立て枠の連接部材であって、一側に、複数の板形リブが伸びて突出し、それぞれ、縦方向と横方向に、複数の組み合わせるための長い溝が形成され、他側において、表面に、上記一側に形成してある長い溝の形状に合わせて、適当な厚さを連結部が形成される第一ブロック体と、一側の表面に、第一ブロック体に合わせて、第一ブロック体の連結部が当接して組み合わせるための、突出した適当な厚さを有する組立て部が形成される第二ブロック体と、が含有され、組み合わせた第一ブロック体と第二ブロック体との間に、複数の組立て槽が形成されるように構成したものである。
【０００７】
かくして、請求項１に係る発明によれば、第一ブロック体と第二ブロック体からなる組み立て枠の連接部材であって、
一側に、複数の板形リブが伸びて突出し、それぞれ、縦方向と横方向に、複数の組み合わせるための長い溝が形成され、他側において、表面に、上記一側に設けてある長い溝の形状に合わせて、適当な厚さの連結部が形成される第一ブロック体と、
一側の表面に、第一ブロック体に合わせて、第一ブロック体の連結部が当接して組み合わせるための、突出した適当な厚さを有する組立て部が形成される第二ブロック体とが含有され、
組み合わせた第一ブロック体と第二ブロック体との間に、複数の組立て槽が形成されてなる、
ことを特徴とする組み立て枠の連接部材構造が提供される。
【０００８】
請求項２に係る発明によれば、第一ブロック体と第二ブロック体からなる組み立て枠の連接部材であって、
一側に、複数の板形リブが伸びて突出し、それぞれ、縦方向と横方向の組み合わせるための長溝が形成され、他側において、表面に、上記一側に設けてある長溝の形状に合わせて、適当な厚さを有する連結部が形成される第一ブロック体と、
一側の表面に、第一ブロック体に合わせて、第一ブロック体の連結部が当接して組み合わせるための、突出した適当な厚さを有する組立て部が形成され、他側において、複数のリブ板が形成され、上記リブ板によって、それぞれ、縦方向と横方向の挿設用長溝が形成される第二ブロック体とが含有され、
組み合わせた第一ブロック体と第二ブロック体との間に、複数の組立て槽が形成されてなる
ことを特徴とする組み立て枠の連接部材構造が提供される。
【０００９】
請求項３に係る発明によれば、第一ブロック体の連結部を有する側辺に、複数の挟持突出部が設けられ、また、板形リブの内側において、組み合わせるための長溝が形成された側壁に、複数の嵌設リブが突出し、第二ブロック体の連結部を有する側辺に、複数の挟持突出部が設けられることを特徴とする請求項１又は２に記載の組み立て枠の連接部材構造が提供される。
【００１０】
請求項４に係る発明によれば、連結部には、連結ブロックと連結孔が設けられ、組立て部には、それに合わせて、組立てブロックと組立て孔が設けられることを特徴とする請求項１又は２に記載の組み立て枠の連接部材構造が提供される。
【００１１】
請求項５に係る発明によれば、連結部と組立て部とは、磁気吸引によって組み合わせられて固定されることを特徴とする請求項１又は２に記載の組み立て枠の連接部材構造が提供される。
【００１２】
請求項６に係る発明によれば、第一ブロック体において、連結部の近くに、第一の嵌合槽が凹むように形成され、第二ブロック体において、連結部の近くに、第二の嵌合槽が設けられ、第一ブロック体と第二ブロック体との間に形成されてある組立て槽に戸板が設置されることを特徴とする請求項１又は２に記載の組み立て枠の連接部材構造が提供される。
【００１３】
請求項７に係る発明によれば、第一ブロック体において、第一の嵌合槽の近くに、制限円弧突出部が突出することを特徴とする請求項６に記載の組み立て枠の連接部材構造が提供される。
【００１４】
請求項８に係る発明によれば、戸板の四隅の縁に、退避端部が形成され、同じ一側辺に、連接棒が延び、嵌合ヘッド端部が形成され、接部材の第一ブロック体と第二ブロック体とが、板体に合わせて組み立て枠が形成された場合において、組み立て枠の一側に形成された開口に、戸板が組み立てられ、戸板の同一側に伸びる連接棒を、組立て槽内に貫設して、嵌合ヘッド端を第一嵌設槽と第二嵌設槽の間に係止して固定することを特徴とする請求項６に記載の組み立て枠の連接部材構造が提供される。
【００１５】
請求項９に係る発明によれば、組み立て枠の開口の他側に形成された組立て槽に、更に、位置付け部材が設けられることを特徴とする請求項８に記載の組み立て枠の連接部材構造が提供される。
【００１６】
請求項１０に係る発明によれば、連接部材の第一ブロック体の板形リブが形成された側辺には、複数の係止槽が形成され、連接部材が、第一ブロック体と第二ブロック体で、板体に合わせて、組み立て枠が形成される場合において、内部に、傾斜板が組立てられ、上記傾斜板が、四隅から、それぞれ、組み合わせるための棒が延び、組み立て枠内に組み立てられた場合、組み合わせるための棒が、第一ブロック体の係止槽に貫設して定位されることを特徴とする請求項１又は２に記載の組み立て枠の連接部材構造が提供される。
【００１７】
請求項１１に係る発明によれば、第二ブロック体は、リブ板の周辺に、更に、係合槽が設けられることを特徴とする請求項２に記載の組み立て枠の連接部材構造が提供される。
【００１８】
請求項１２に係る発明によれば、第二ブロック体は、本体とカバーからなり、本体の周縁に、複数の嵌合槽がリング状に設けられ、カバーの開口の周縁に、対応する嵌合槽に係止される複数のフックが、リング状に設けられることを特徴とする請求項１に記載の組み立て枠の連接部材構造が提供される。
【発明の効果】
【００１９】
本発明は、前記の通りの構成からなり、従来の一体形成された構造の連結部材の欠点を改善し、連結部材と板体との多様な組み合わせを提供することができ、具体例で示すように多種の組み立て枠を実現することができる。
【発明を実施するための最良の形態】
【００２０】
以下、図面を参照しながら、本発明の特徴や技術内容について、詳しく説明するが、それらの図面等は、参考や説明のためであり、本発明は、それらによって限定されるものではない。
【００２１】
図１及び図２に示すように、本発明に係る組み立て枠の連接部材構造は、上記連接部材１が、第一ブロック体１０と第二ブロック体２０とから構成される。上記第一ブロック体１０は、一側に、複数の板形リブ１１が伸びて突出し、それぞれ、縦方向と横方向に、組み合わせるための長溝１２が形成されている。また、板形リブ１１の内側に、組み合わせるための長い溝１２が形成された側壁に、複数の嵌設リブ１２１が設けられてある。第一ブロック体１０の他側表面にも、複数の挟持突出部１３が設けられ、上記一側にある組み合わせるための長溝１２の形状に合わせて、適当な厚さを有する連結部１４が設けられる。上記連結部１４に、連結ブロック１４１と連結孔１４２が設けられ、磁石を利用してもよく、第二ブロック体２０の一側の表面に、複数の挟持突出部２１が設けられ、第一ブロック体１０に合わせて、適当な厚さを有する組立て部２２が設けられる。上記組立て部２２に、組立てブロック２２１と組立て孔２２２が設けられる。また、磁気吸引部材を利用しても良い。
【００２２】
その構造によれば、図２乃至図４に示すように、第一ブロック体１０と第二ブロック体２０は、連結部１４と組立て部２２で、互いに当接して固定される。また、連結ブロック１４１と連結孔１４２及び組立てブロック２２１と組立て孔２２２で、互いに係止して固定される。また、第一ブロック体１０と第二ブロック体２０とは、磁気吸引によって結合されて固定されてもよい。これにより、組み立て枠に適用される連接部材１が構成され、また、連接部材１の第一ブロック体１０と第二ブロック体２０との間に、連結部１４と組立て部２２とが組み合わせられたことにより組立て槽２３が形成され、組み立て枠の連接部材構造が構成される。
【００２３】
本発明によれば、図５に示すように、上記の複数の連接部材１で、複数の板体３０に合わせて、組み立て枠２が形成される。その板体３０は、四隅で、連接部材１により組立てられ、第一ブロック体１０に形成された縦方向と横方向に組み合わせるための長溝１２により、四角形枠が形成される。また、第一ブロック体１０と第二ブロック体２０とを組立てた後、形成された組立て槽２３に、更に、板体３０が連結されると、背板が形成され、これにより、組み立て枠構造が完成される。
【００２４】
図６と図７に示すように、第一ブロック体１０において、連結部１４の近くに、第一の嵌合槽１５が凹むように形成され、第二ブロック体２０において、組立て部２２の近くに、第二の嵌合槽２４が設けられる。また、第一ブロック体１０において、第一の嵌合槽１５に、制限円弧突出部１６が突出形成され、それらに、板体３０が嵌合されて、組み立て枠２の構成強度を向上させることができる。
【００２５】
また、図８に示すように、第一ブロック体１０と第二ブロック体２０との間に設けてある組立て槽２３に戸板３１が設置される。上記戸板３１の四隅の縁に、退避端部３１１が形成される。また、同一側辺に、連接棒３１２が伸びて、嵌合ヘッド端部３１３が形成される。連接部材１の第一ブロック体１０と第二ブロック体２０で、板体３０に合わせて、組み立て枠２を形成した時、その組み立て枠２に形成された開口に設けてある連接部材１にも、更に、戸板３１が組立てられることができる。
【００２６】
図９に示すように、戸板３１の同一側に伸びた連接棒３１２を組立て槽２３内に貫設して、更に、嵌合ヘッド端部３１３を第一嵌設槽１５と第二嵌設槽２４との間に係止して固定することにより、図１０のように、戸板３１が、連接棒３１２を搖動軸として、開口において、搖動できるように、戸が形成される。また、組み立て枠２の開口が形成された他側に設けてある連接部材１の組立て槽２３に、更に、位置付け部材２３１が組立てられ、戸板３１が、組み立て枠２の開口が閉じられる時、開口を封じするように、定位される。
【００２７】
図１１と図１２に示すように、その連接部材１の第一ブロック体１０において、板型リブ１０が形成された周辺に、複数の係止槽１７が形成され、連接部材１が、第一ブロック体１０と第二ブロック体２０とで、板体３０に合わせて、組み立て枠２が組立てられた時、更に、内部において、傾斜板３２を組立てることができる。上記傾斜板３２は、四隅に、それぞれ、組み合わせるための棒３２１が伸び、組み立て枠２内に組立てられる時、組み合わせるための棒３２１で、直接に、第一ブロック体１０の係止槽１６に貫設して定位する。組み立て枠２の内部が、二つの対称する空間に区画され、靴等の品物を収納することができる。組み立て枠２の利用可能な空間が、増加することにより、その用途が多様化される。
【００２８】
図１３と図１４に示すように、上記第二ブロック体２０のもう一側辺に、更に、複数のリブ板２５が伸び、上記リブ板２５により、縦方向と横方向に挿設用長溝２５１が形成される。挿設用長溝２５１が形成された内壁に、補強リブ２５２が設けられる。第一ブロック体１０と第二ブロック体２０とが、組立てられて連接部材１が形成された時、板体３０を利用して、組立て槽２３で、横方向に、複数の組み立て枠２が形成され、第二ブロック体２０に形成された挿設用長溝２５１に、板体３０を組立てることにより、縦方向に、上記組み立て枠２が伸び、全体として、収納空間が形成される。また、上記第二ブロック体２０は、リブ板２５の周辺に、更に、係合槽２６が形成される。
【００２９】
図１５に示すように、上記の複数のリブ板２５が伸びた第二ブロック体２０は、組立て部２２により、第一ブロック体１０の連結部１４に組み合わせられた後、その形成された組立て槽２３に、板体３０が組立てられることができ、隔板が形成される。また、上記の形成された組み立て枠の両側にある開口にも、戸板３１が設けられてもよく、これにより、両側から、品物を収納することができるような収納箪笥が形成される。また、戸板３１を配置することにより、両側から開ける枠体が形成される。
【００３０】
また、図１〜１５に示すように、第二ブロック体２０は、一体成形によって形成されてもよく、それぞれ、本体２０Ａとカバー２０Ｂ（図１６のように）を作製してよい。また、本体２０Ａは、周縁に、複数の嵌合槽２７がリング状に設けられ、それに、交換可能なカバー２０Ｂが覆われ、カバー２０Ｂは、開口の周縁に、対応する嵌合槽２７に係止される複数のフック２８が、リング状に設けられ、当該カバー２０Ｂの外周が、多辺形である幾何形状（例えば、ダイヤモンド状）になり、それに、文字や図柄を印刷することができる。そのため、ユーザーは、好みに応じて、異なる文字や図柄及び幾何模様を選別することができ、識別力や装飾性が向上し、また、実用性を向上させることができる。
【００３１】
上記の具体的な実施形態の構造によれば、本発明の連接部材１が、第一ブロック体１０と第二ブロック体２０からなり、その一側に、板体３０が組立てられるための組み合わせるための長溝１２があるから，組立て槽２３が形成されて，板体３０が組立てられることができる。また、上記第二ブロック体２０によれば、多様化されて、組み立て枠２が、複数の異なる機能を発揮できる枠として、利用することができる。
本発明によれば、前記したことから、より多様化され、また、複数の機能が発揮できるため、ユーザーの購入意欲を高めることができる。
【００３２】
以上は、本発明の好適な実施形態であり、本発明は、それらによって限定されるものではなく、本発明に係わる特許請求の範囲や明細書の内容に基づいて行った等価の変更や修正は、全てが、本発明の請求の範囲内に含まれる。
【図面の簡単な説明】
【００３３】
【図１】本発明の一実施形態による連結部材の斜視図である。
【図２】本発明の一実施形態による連結部材の分解斜視図である。
【図３】本発明の一実施形態による連結部材の組立て断面図である。
【図４】本発明の一実施形態による連結部材の他の角度から見た組立て断面図である。
【図５】本発明の一実施形態による連結部材の使用状態を示す概念図である。
【図６】本発明の好適な実施形態による連結部材の分解斜視図である。
【図７】本発明の好適な実施形態による連結部材の組立て断面図である。
【図８】本発明の好適な実施形態による連結部材の使用状態を示す分解図である。
【図９】本発明の好適な実施形態による連結部材の使用状態を示す組立ての断面図である。
【図１０】本発明の好適な実施形態による連結部材の使用状態を示す概念図である。
【図１１】本発明の好適な実施形態による連結部材の他の使用状態を示す分解図である。
【図１２】本発明の好適な実施形態による連結部材の他の使用状態を示す概念図である。
【図１３】本発明のさらに好適な実施形態による連結部材の使用状態を示す分解斜視図である。
【図１４】本発明のさらに好適な実施形態による連結部材の使用状態を示す分解図である。
【図１５】本発明のさらに好適な実施形態による連結部材の他の使用状態を示す分解図である。
【図１６】本発明のさらに好適な実施形態による連結部材の使用状態を示す分解斜視図である。
【図１７】従来の連接部材の斜視図である。
【符号の説明】
【００３４】
本発明
１  連接部材
１０  第一ブロック体
１１  板形リブ
１２  組み合わせるための長溝
１２１  嵌設リブ
１３  挟持突出部
１４  連結部
１４１  連結ブロック
１４２  連結孔
１５  第一嵌設槽
１６  制限円弧突出部
１７  係止槽
２  組み立て枠
２０  第二ブロック体
２０Ａ  本体
２０Ｂ  本体
２１  挟持突出部
２２  組立て部
２２１  組立てブロック
２２２  組立て孔
２３  組立て槽
２３１  位置付け部材
２４  第二嵌設槽
２５  リブ板
２５１  挿設用長溝
２５２  補強リブ
２６  係合槽
２７  嵌合槽
２８  フック
３０  板体
３１  戸板
３１１  退避端部
３１２  連接棒
３１３  嵌合ヘッド端部
３２  傾斜板
３２１  組み合わせるための棒
従来
４０  連結ブロック体
４１  組立て槽
４２  連結槽
【図１】
0005485331.tif 000002
【図２】
0005485331.tif 000003
【図３】
0005485331.tif 000004
【図４】
0005485331.tif 000005
【図５】
0005485331.tif 000006
【図６】
0005485331.tif 000007
【図７】
0005485331.tif 000008
【図８】
0005485331.tif 000009
【図９】
0005485331.tif 000010
【図１０】
0005485331.tif 000011
【図１１】
0005485331.tif 000012
【図１２】
0005485331.tif 000013
【図１３】
0005485331.tif 000014
【図１４】
0005485331.tif 000015
【図１５】
0005485331.tif 000016
【図１６】
0005485331.tif 000017
【図１７】
0005485331.tif 000018